(57)【要約】【課題】可変表示手段であるリールと、表示窓の近傍に配置した画像表示手段を連動し、リールによって表示される三種類の図柄の組み合わせでは実現できないゲームの採用が可能になる遊戯機を提供する。【解決手段】メダル等の投入とスタート操作によって複数リール３ａ、３ｂ、３ｃの図柄を可変表示する可変表示手段４と、前記リール３ａ、３ｂ、３ｃの図柄を停止させるための停止操作を遊戯者が行う停止ボタン６ａ、６ｂ、６ｃと、前記可変表示手段の近傍に配置される画像表示手段７とを備え、前記可変表示手段４と画像表示手段７を連動し、ゲームスタートによって画像表示手段７に所定枚数の手札１０を表示し、リール３ａ、３ｂ、３ｃを順次停止させるごとにその停止図柄をツモ札１１、１２、１３として画像表示手段７に表示し、前記手札１０の図柄とツモ札１１、１２、１３の図柄の組合わせが役を完成するとメダル等を払出す。【選択図】図１
2008253611.tif 000002
【特許請求の範囲】
【請求項１】
メダル等の投入とスタート操作によって複数の図柄を複数列で可変表示する可変表示手段と、前記可変表示手段の図柄を停止させるための停止操作を遊戯者が行う停止操作手段と、前記可変表示手段の近傍に配置される画像表示手段とを備え、前記可変表示手段と画像表示手段を連動し、ゲームスタートによって画像表示手段に所定枚数の手札を表示し、可変表示手段を順次停止させるごとにその停止図柄をツモ札として画像表示手段に表示し、前記手札図柄とツモ札の図柄の組合わせが役を完成するとメダル等を払出すようにしたことを特徴とする遊技機。
【請求項２】
上記可変表示手段と画像表示手段に表示される図柄に麻雀牌の図柄を用い、画像表示手段に表示される所定枚数の手札に、可変表示手段を停止させるごとにその停止したツモ札の図柄を画像表示手段に加えて表示していくことで麻雀の上がり役を完成するようになっていることを特徴とする請求項１に記載の遊技機。
【請求項３】
上記メダル等の払い戻しが、完成した役の種類によってメダル等の払出数を変えるようになっていることを特徴とする請求項１又は２に記載の遊技機。
【発明の詳細な説明】
【技術分野】
【０００１】
この発明は、遊戯に必要な図柄を可変表示する可変表示手段と、この可変表示手段の近傍に配置した画像表示手段を連動し、画像表示手段に複数枚の手札図柄を表示し、可変表示手段を停止させるごとに有効ラインに停止したツモ札の図柄を画像表示手段で表示し、手札図柄とツモ札の図柄の組合わせによって役を完成させるようにしたパチスロ機等の遊戯機に関する。
【背景技術】
【０００２】
従来から知られているスロットマシン、所謂パチスロ機は、機械正面の表示窓内に、複数の図柄を表示する機械式のリール又は画像リールを三列配置し、表示窓の下部にスタートレバーとリールの数だけの停止ボタンを配置した構造になっている。
【０００３】
このようなパチスロ機は、コインやメダル等の投入とスタートレバーのスタート操作によって、表示窓のリールが回転又はスクロールして図柄の可変表示が行われ、遊戯者による停止ボタンの操作又は一定時間の経過によって各リールの回転を停止させる。
【０００４】
このとき、表示窓において、所定の有効ライン上に停止した各リールの図柄の組み合わせが、予め決められた特定の入賞組み合わせになったとき、組合わせの種類に応じた枚数のメダル等の払い出しを行うようになっている。
【０００５】
上記のように、従来のパチスロ機は、表示窓における有効ラインが横方向三列と斜め方向二列の合計五本に設定され、機械式のリール又は画像リールは三列配置した構造になっているため、各リールを停止させたとき、何れかの有効ライン上において、横方向や斜め方向に並んだ三つの図柄の組合わせによって入賞の組み合わせ種類が設定されることになる。
【０００６】
また、最近のパチスロ機は、表示窓の上部位置等に液晶等の画像表示手段を設け、この画像表示手段でゲーム内容に関連のある文字や画像を表示し、特定の画像になることで入賞成立の予告や確定したことを表示するようにしている。
【発明の開示】
【発明が解決しようとする課題】
【０００７】
ところで、従来のパチスロ機は、三つの図柄の組み合わせによって入賞や役の組み合わせ種類を設定しなければならないという制約があるため、ゲーム性の観点からどうしても単調なものとなり、従って、種類の多い図柄を用い、その図柄の組合わせによって成立するようなゲームをパチスロ機に採用することができなかった。
【０００８】
また、表示窓の上部位置に設けた画像表示手段は、特定の画像になることで入賞の組み合わせ成立を予告したり確定したことを表示するだけのものであり、表示される文字や画像がゲームそのものを構成するようになっていない。
【０００９】
そこで、この発明の課題は、可変表示手段である機械式のリール又は画像リールと、表示窓の近傍に配置した画像表示手段を連動し、リールによって表示される三種類の図柄の組み合わせでは実現できないゲームの採用が可能になる遊戯機を提供することにある。
【課題を解決するための手段】
【００１０】
上記のような課題を解決するため、この発明は、メダル等の投入とスタート操作によって複数の図柄を複数列で可変表示する可変表示手段と、前記可変表示手段の図柄を停止させるための停止操作を遊戯者が行う停止操作手段と、前記可変表示手段の近傍に配置される画像表示手段とを備え、前記可変表示手段と画像表示手段を連動し、ゲームスタートによって画像表示手段に所定枚数の手札を表示し、可変表示手段を順次停止させるごとにその停止図柄をツモ札として画像表示手段に表示し、前記手札図柄とツモ札の図柄の組合わせが役を完成するとメダル等を払出すようにした構成を採用したものである。
【００１１】
上記可変表示手段と画像表示手段に表示される図柄に麻雀牌の図柄を用い、画像表示手段に表示される所定枚数の手札に、可変表示手段を停止させるごとにその停止したツモ札の図柄を画像表示手段に加えて表示していくことで麻雀の上がり役を完成するようになっている構造とすることができる。
【００１２】
また、上記メダル等の払い戻しが、完成した役の種類によってメダル等の払出数を変えるようになっているようにすることができる。
【００１３】
ここで、パチスロ機（遊戯機）の横に設置される計数筐体に所定金額の硬貨を投入すると、画像表示手段はプレイモードになり、計数筐体のクレジット表示板にメダル枚数が表示され、ゲームが麻雀ゲームの場合、パチスロ機に３枚のメダルを投入すると、同時に画像表示手段に遊戯者の１１枚の手札が表示され、この状態でスタートレバーをたたいてスタートさせると、表示窓内の各リールが回転し、各リールに表示した図柄の可変表示が行われる。
【００１４】
リールが回転する状態で、左側の第１の停止ボタンを押して左側のリールを止めると、そのリールの表示窓に表示された図柄が１２枚目のツモ札となり、これが画像表示手段に１１枚の手札と共に表示され、次に、中間の第２の停止ボタンを押して中間のリールを止めると、そのリールに表示された図柄が１３枚目のツモ札となって画像表示手段に表示され、この時点で、画像表示手段に表示された手札とツモ札が役の成立可能な組み合わせになると、可変表示手段の横又は斜めの有効ラインが画像表示手段に表示され、右側の第３の停止ボタンを押して右側のリールを止めると、表示窓に表示された図柄が１４枚目のツモ札となり、これで１ゲームが終了する。
【００１５】
１４枚目のツモ札は画像表示手段に表示され、このツモ札を加えることで役が成立すれば入賞となり、入賞した場合、画像表示手段に1翻から役満、そして大当たり等の役の表示を行い、それと同時に該当する役に対応する数のメダル等を払い出し、これをクレジットに加算又は払いださせることになる。
【発明の効果】
【００１６】
この発明によると、可変表示手段と画像表示手段を連動し、ゲームスタートによって画像表示手段に所定枚数の手札を表示し、可変表示手段を停止させるごとにその停止図柄を画像表示手段にツモ札として表示し、この表示が上がり役を完成するとメダル等を払出すようにしたので、ドラムの数の図柄組み合わせによるゲームでは表現できない、種類の多い図柄の組合わせによって成立するようなゲームをパチスロ機に導入することができ、パチスロ機によるゲームの多様化が実現できる。
【００１７】
また、画像表示手段に表示される図柄に、可変表示手段の停止による図柄を加えて上がり役を完成させるようにしたので、単なる機械任せのゲームではなく、遊戯者の意思と技術を反映したゲームを構成することができる。
【発明を実施するための最良の形態】
【００１８】
以下、この発明の実施の形態を添付図面に基づいて説明する。
【００１９】
図１のように、遊技機であるパチスロ機１は、全面中央に設けた表示窓２の内側に、それぞれ独自に回転する機械式のリール３ａ、３ｂ、３ｃを三列配置して可変表示手段４を形成し、この可変表示手段４の下部位置に、スタートレバー５と、第１乃至第３の停止ボタン６ａ、６ｂ、６ｃが設けられ、前記可変表示手段４の上部近傍位置に、液晶等の画像表示手段７が設けられている。
【００２０】
上記可変表示手段４における各リール３ａ、３ｂ、３ｃの外周には、図２に示すように、それぞれ図柄８が所定の配列で表示され、この図柄８を表示した各リール３ａ、３ｂ、３ｃと上記画像表示手段７が専用のゲームソフトによって連動され、ゲームスタート時に画像表示手段７に所定枚数の手札を表示し、可変表示手段４の各リール３ａ、３ｂ、３ｃを停止させるごとにその停止図柄を画像表示手段７に加えて表示し、手札とツモ札の組合わせが役を完成すると払い戻し手段でメダル等を払出すようになっている。
【００２１】
なお、パチスロ機１は、コイン投入口にコインを直接投入してゲームを行い、コインが受け皿に排出される「７号機種」と、図１のように、パチスロ機１の横に設置した計数筐体９に所定金額の硬貨を投入してメダル等を購入し、このメダル等を三枚ずつ電気的にパチスロ機１へ移行させると共に、メダル等の残り枚数に払い出されるコインの枚数を加えて、計数筐体９に記憶表示させるようにした「８号機種」の何れであってもよい。
【００２２】
図示の場合、パチスロ機１によって行うゲームは麻雀ゲームを示し、各リール３ａ、３ｂ、３ｃの外周には麻雀で使用される牌の図柄８、例えば、「東」「中」「一萬」等が表示され、各リール３ａ、３ｂ、３ｃの停止によって並ぶ図柄８の表示窓２における有効ラインは、上下三本の横ラインと二本の斜めラインの合計五本のラインに設定されている。
【００２３】
ここで、パチスロ機が「８号機種」の場合、上記ゲームソフトは、パチスロ機１の横に設置される計数筐体９に所定金額の硬貨を投入すると、画像表示手段７をプレイモードにし、マックスベット１４をＯＮすると３枚のメダル投入と同時に画像表示手段７に遊戯者の１１枚の手札（手牌）を表示する。
【００２４】
また、スタートレバー５をたたいてゲームをスタートさせると、表示窓２内の各リール３ａ、３ｂ、３ｃが回転し、各リール３ａ、３ｂ、３ｃに表示した図柄８の可変表示が行われ、左側の第１の停止ボタン６ａを押して左側のリール３ａを止めると、そのリール３ａの表示窓２に表示された図柄８が１２枚目のツモ札（ツモ牌）となり、これが画像表示手段７に１１枚の手札とともに表示され、次に、中間の第２の停止ボタン６ｂを押して中間のリール３ｂを止めると、そのリール３ｂに表示された図柄８が１３枚目のツモ札となって画像表示手段７に表示され、この時点で、画像表示手段７に表示された手札とツモ札の組み合わせが役の成立可能な組み合わせになると、可変表示手段４の横又は斜めの有効ラインが画像表示手段７に表示され、右側の第３の停止ボタン６ｃを押して右側のリール３ｃを止めると、表示窓２に表示された図柄が１４枚目のツモ札となり、これで１ゲームが終了する。
【００２５】
１４枚目のツモ札は画像表示手段７に表示され、このツモ札を加えることで役が成立すれば入賞となり、入賞した場合、画像表示手段７に1翻から役満、そして大当たり等の役の表示を行い、それと同時に該当する役に対応する数のメダルを払い出し、これを計数筐体９のクレジットに加算又は払いださせるようになっている。
【００２６】
なお、ゲームソフトは、上記のような有効ラインの数に特定されるものではなく、例えば、可変表示手段４の横又は斜めの有効ラインの内、２ラインの図柄をツモ札とすると、６枚のツモ札が画像表示手段７に各リール３ａ、３ｂ、３ｃの停止ごとに２枚ずつ順次表示されることで、スタート時の画像表示手段７に表示される手札は８枚となるようにしたり、可変表示手段４の横又は斜めの有効ラインの内、３ラインの図柄をツモ札とすると、９枚のツモ札が画像表示手段７に各リール３ａ、３ｂ、３ｃの停止ごとに３枚ずつ順次表示されることで、スタート時の画像表示手段７に表示される手札は５枚とするようにしてもよい。
【００２７】
上記役の完成時にメダルを払い戻しする場合、完成した1翻から役満役の種類によってメダルの払出数を変えるようにすることができる。
【００２８】
また、ゲームソフトは、麻雀ゲームに限定されるものではなく、画像表示手段７に表示される手札の図柄に、各リール３ａ、３ｂ、３ｃによって表示される図柄を加えることで役が成立するものであればよく、例えば、トランプの図柄を用いたポーカーや花札ゲームであってもよい。
【００２９】
なお、パチスロ機１がメダルを直接投入する方式の場合、メダルは一枚の投入で有効ラインは１ライン、二枚で３ライン、３枚で５ラインとなり、メダルの投入枚数が選択できるようになっている。
【００３０】
次に、この発明のパチスロ機が「８号機種」の場合で、ゲーム内容に麻雀ゲームを採用した例の遊戯方法を説明する。
【００３１】
パチスロ機１の横に設置される計数筐体９に所定金額の硬貨を投入すると、計数筐体９のクレジット表示板にメダル枚数が表示され、パチスロ機１は、画像表示手段７がプレイモードになり、パチスロ機１に設けたマックスベット１４を押すと、３枚のメダルがパチスロ機１に移行して投入され、図２（ａ）のように、３枚のメダル投入と同時に画像表示手段７に遊戯者の１１枚の手札１０が表示され、この状態でスタートレバー５をたたいてスタートさせると、表示窓２内の各リール３ａ、３ｂ、３ｃが同時に回転し、表示窓２において各リール３ａ、３ｂ、３ｃに表示した図柄８の可変表示が行われる。
【００３２】
ここで、パチスロ機１は３枚のメダルを投入しないとスタートしないように設定され、マックスベット１４を押すことで、３枚のメダルが投入され、有効ラインが５ライン構成されてスタート態勢になると、画像表示手段７に１１枚の手札１０が表示されるが、この手札１０の組み合わせが役の完成に対していい手配だと遊戯者が思えば、遊戯者はマックスベット１４をたたき、メダルの掛け枚数を３の倍数で最高３０枚までかけることができるようになっている。
【００３３】
上記マックスベット１４を１０回たたいて最大の掛け枚数になると、自動スタートになり、表示窓２内の各リール３ａ、３ｂ、３ｃが回転すると共に、マックスベット１４をたたく回数が１〜９までは、スタートレバー５をたたいてスタートさせる。
【００３４】
図２（ａ）で示した各リール３ａ、３ｂ、３ｃが回転する状態で、図２（ｂ）のように左側の第１の停止ボタン６ａを押して左側のリール３ａを止めると、そのリール３ａの表示窓２に表示された図柄８が１２枚目のツモ札１１となり、これが画像表示手段７に１１枚の手札１０と共に表示される。
【００３５】
ここで、表示窓２の有効ラインが、上下三本の横ラインと二本の斜めラインの合計五本のラインに設定されている場合、有効ラインに停止した第１のリール３ａの三つの図柄８が有効となってその何れかが１２枚目のツモ札１１となるが、このツモ札１１の内、１１枚の手札１０との組み合わせによって役の成立が可能性のある図柄８を画像表示手段７に表示する。
【００３６】
図２（ｃ）のように、次に、中間の第２の停止ボタン６ｂを押して中間のリール３ｂを止めると、そのリール３ｂに表示された図柄８が１３枚目のツモ札１２となって画像表示手段７に表示され、この場合も、表示窓２の有効ラインが、上下三本の横ラインと二本の斜めラインの合計五本のラインに設定されている場合、停止した第２のリール３ｂの三つの図柄８が有効となってその何れかが１３枚目のツモ札１２となるが、このツモ札１２の内、１１枚の手札１０と先の一枚のツモ札１１との組み合わせによって役の成立に可能性のある図柄８を画像表示手段７に表示する。
【００３７】
この時点で、画像表示手段７に表示された１１枚の手札１０と二枚のツモ札１１、１２との組み合わせが役の成立可能な組み合わせになると、可変表示手段４の役が成立可能な横又は斜めの有効ラインが画像表示手段７に表示され、従って、右側の第３の停止ボタン６ｃを押して右側のリール３ｃを止める場合は、この有効ラインに役が成立する図柄８が停止するように目押しをし、右側の第３の停止ボタン６ｃを押して右側のリール３ｃを止めると、表示窓２に表示された三つの図柄８が１４枚目のツモ札１３となるが、このツモ札１３のうち有効ラインに停止した図柄８が画像表示手段７に表示され、この１４枚目のツモ札１３を加えても役が成立しなければ１ゲームが終了し、画像表示手段７は最初のプレイモードに復帰することでゲームの再開が可能になる。
【００３８】
また、図２（ｄ）のように、有効ラインに停止した１４枚目のツモ札１３の図柄８を加えることで役が成立すれば入賞となり、入賞した場合、画像表示手段７に1翻から役満、そして大当たり等の役の表示を行い、それと同時に該当する役に対応する数のメダルを払い出し、これをクレジットに加算又は払いださせることになり、これで１ゲームが終了し、画像表示手段７は最初のプレイモードに復帰することでゲームの再開が可能になる。
【図面の簡単な説明】
【００３９】
【図１】この発明の遊技機であるパチスロ機を示す斜視図
【図２（ａ）】可変表示手段と画像表示手段を示し、画像表示手段に遊戯者の手札が表示された状態の正面図
【図２（ｂ）】画像表示手段に遊戯者の手札と一枚目のツモ札が表示された状態の正面図
【図２（ｃ）】画像表示手段に遊戯者の手札と二枚目のツモ札が表示された状態の正面図
【図２（ｄ）】画像表示手段に遊戯者の手札と三枚目のツモ札が表示された役完成状態の正面図
【符号の説明】
【００４０】
１        パチスロ機
２        表示窓
３ａ      リール
３ｂ      リール
３ｃ      リール
４        可変表示手段
５        スタートレバー
６ａ      停止ボタン
６ｂ      停止ボタン
６ｃ      停止ボタン
７        画像表示手段
８        図柄
９        計数筐体
１０      手札
１１      ツモ札
１２      ツモ札
１３      ツモ札
１４      マックスベット
【図１】
2008253611.tif 000003
【図２（ａ）】
2008253611.tif 000004
【図２（ｂ）】
2008253611.tif 000005
【図２（ｃ）】
2008253611.tif 000006
【図２（ｄ）】
2008253611.tif 000007